(57)【特許請求の範囲】
【請求項１】
被写体を撮影するためのズーム機構を備える撮影レンズと、前記ズーム機構を制御してその焦点距離を設定するための焦点距離設定手段と、前記焦点距離設定手段で設定される焦点距離に対応するズーム倍率で前記被写体をモニタ表示するためのモニタ装置とを備えるズーム式カメラにおいて、撮影動作時に前記ズーム機構によって前記撮影レンズを前記焦点距離設定手段で設定された焦点距離に設定する手段と、前記被写体を測距するための測距手段と、前記測距手段での測距データを繰り返し検出する手段と、前記測距データの検出回数が所定回数に達し、かつ前記測距データが所定の範囲内にあるときに、前記ズーム機構により前記撮影レンズを直ちに前記焦点距離設定手段によって設定されている焦点距離に設定する手段とを備えることを特徴とするズーム式カメラ。
【請求項２】
前記撮影レンズ、又はこれとは独立して設けられた光学ファインダのいずれか一方の光学系内に配設される撮像素子と、前記撮像素子で撮像して得られる撮像信号を信号処理して前記モニタ装置に映像として表示させる信号処理回路とを備え、前記信号処理回路には、前記撮像素子で得られる撮像信号を電子ズーム処理して前記モニタ装置に表示する電子ズーム回路が設けられ、前記電子ズーム回路はモニタ像を前記焦点距離設定手段で設定された焦点距離に対応するズーム倍率に制御する構成であることを特徴とする請求項１に記載のズーム式カメラ。
【請求項３】
前記撮影レンズと光学ファインダにはそれぞれズーム機構が設けられ、前記撮影レンズと光学ファインダの各ズーム機構が連動して駆動されてそれぞれの焦点距離が設定され、前記撮像素子は前記光学ファインダで結像された被写体像を撮像することを特徴とする請求項２に記載のズーム式カメラ。
【請求項４】
前記測距データを検出する手段は、レリーズボタンが半押し状態のときに所定の時間間隔をおいて検出動作を行うことを特徴とする請求項１ないし３のいずれかに記載のズーム式カメラ。
【請求項５】
前記焦点距離設定手段は、ズーム操作によって前記撮影レンズの現在の焦点距離より短い焦点距離が設定されたときに、前記ズーム機構を駆動して前記撮影レンズと光学ファインダを前記設定されている焦点距離に設定することを特徴とする請求項１ないし４のいずれかに記載のズーム式カメラ。
【発明の詳細な説明】
【０００１】
【発明の属する技術分野】
本発明はズーム式の撮像レンズを有するカメラに関し、特に感光フィルムへの撮影とＣＣＤ等の撮像素子による撮影の両方式による撮影を可能にしたズーム式カメラに関する。
【０００２】
【従来の技術】
近年、感光フィルムへの撮影と、ＣＣＤ等の撮像素子を利用した電子的な撮影の両方式での撮影を可能としたスチルカメラが提案されている。この種のカメラでは、撮影レンズで結像した被写体像を感光フィルムに感光させ、あるいは撮像素子に結合して撮像信号による撮影が行われる。この場合、撮影レンズをズームレンズで構成したカメラでは、一眼レフカメラの場合には撮影レンズでのズーム状態をファインダで確認することができるが、撮影レンズとは独立した光学ファインダを備えるカメラでは、この光学ファインダを撮影レンズのズーム動作に連動してズーム動作させる必要がある。このため、この種のカメラでは撮影レンズをズーム動作させるためのズーム機構と、光学ファインダをズーミング動作させるためのズーム機構が必要であり、ズーム動作にはこれら両方のズーム機構を駆動させることが必要となる。
【０００３】
【発明が解決しようとする課題】
このようなズーム動作を行う際には、撮影レンズと光学ファインダの両ズーム機構を駆動する必要があり、特に撮影レンズのズーム機構は大径のレンズを駆動させる必要があるために比較的に大きな電力が必要であり、その消費電力が無視できないものとなる。また、撮影時には焦点距離を種々に変化させながら被写体の撮影画角等を確認することが行われるが、この際における撮影レンズや光学ファインダにおけるズーム機構での消費電流が無視できず、電池容量の早期消耗をまねく原因となっている。なお、光学ファインダを固定焦点方式の光学系で構成し、撮影レンズのみをズーム方式の光学系で構成したカメラも提案されており、このカメラの場合には少なくとも光学ファインダでのズーム機構を駆動するための電流が不要とされるが、この方式のカメラにおいても撮影時における撮影レンズのズーム動作によって電池容量の消耗が増大されることを回避することは困難である。
【０００４】
本発明の目的は、撮影レンズないしは光学ファインダにおけるズーム動作を制限し、ズーム動作に伴う消費電力の削減を図ったズーム式カメラを提供することにある。
【０００５】
【課題を解決するための手段】
本発明は、被写体を撮影するためのズーム機構を備える撮影レンズと、前記ズーム機構を制御してその焦点距離を設定するための焦点距離設定手段と、前記焦点距離設定手段で設定される焦点距離に対応するズーム倍率で前記被写体をモニタ表示するためのモニタ装置とを備えるズーム式カメラにおいて、撮影動作時に前記ズーム機構によって前記撮影レンズを前記焦点距離設定手段で設定された焦点距離に設定する手段と、前記被写体を測距するための測距手段と、前記測距手段での測距データを繰り返し検出する手段と、前記測距データの検出回数が所定回数に達し、かつ前記測距データが所定の範囲内にあるときに、前記ズーム機構により前記撮影レンズを直ちに前記焦点距離設定手段によって設定されている焦点距離に設定する手段とを備えることを特徴とする。
【０００６】
ここで、本発明においては、前記撮影レンズ、又はこれとは独立して設けられた光学ファインダのいずれか一方の光学系内に配設される撮像素子と、前記撮像素子で撮像した撮像信号を信号処理して前記モニタ装置に映像として表示させる信号処理回路とを備え、前記信号処理回路には、前記撮像素子で撮像した撮像信号を電子ズーム処理して前記モニタ装置に表示する電子ズーム回路が設けられ、前記電子ズーム回路はモニタ像を前記焦点距離設定手段で設定される焦点距離に対応するズーム倍率に制御する構成であることが好ましい。
【０００７】
本発明によれば、撮影の直前時には、焦点距離設定手段により設定された焦点距離に対応するズーム倍率で被写体像がモニタに表示されるため、撮影レンズのズーム機構を駆動することなく被写体の撮影画角を確認することができる。そして、撮影時には、撮影レンズは焦点距離設定手段によって設定された焦点距離に設定され、設定された焦点距離での撮影が実現できる。さらに、撮影時に複数回の測距を行い、測距データが所定の範囲内にあるときには撮影レンズを直ちに焦点距離設定手段によって設定されている焦点距離に設定する。このため、撮影の直前まで、撮影レンズ及び光学ファインダのズーム機構は動作されることがなく、その間におけるズーム機構での消費電力が削減でき、電池の消耗を抑制することが可能になる。その一方で撮影レンズが所定の焦点距離に設定されるタイミングを早め、応答性の高いレリーズ動作が実現できる。
【０００８】
【発明の実施の形態】
次に、本発明の実施形態を図面を参照して説明する。図１は本発明のズーム式カメラの全体構成を示すブロック図、図２はその要部の模式斜視図である。撮影レンズ１は内部に焦点距離検出部２を含み、モータ１００を駆動源とするズーム機構３が内蔵された光学式ズームレンズとして構成されており、ズーム駆動回路４により駆動されてその焦点距離が可変される。また、前記撮影レンズ１には被写体に対して合焦を行うためのフォーカス駆動回路５、撮影時にシャッタを駆動するシャッタ駆動回路６、撮影時に絞りを動作させる絞り駆動回路７が設けられ、これらはマイクロコンピュータ（以下、マイコンと略称する）１０により制御される。また、前記撮影レンズ１は被写体像を感光フィルム８に結像し、感光フィルム８に潜像を形成する。前記感光フィルム８は前記マイコン１０により制御されるフィルム駆動回路９によりフィルム巻き上げが行われ、かつ巻き戻しが行われる。一方、光学ファインダ１１は前記撮影レンズ１のズーム動作に追従して、撮影レンズ１の焦点距離に対応した視野画角となるようなズームファインダとして構成されており、そのズーム機構１２は前記撮影レンズのズーム機構３と連動して動作されるようになっている。また、前記光学ファインダ１１内にはハーフミラー１３が内蔵されるとともに、このハーフミラー１３に対向する位置に撮像素子としてのＣＣＤ撮像素子１４が配設されており、前記光学ファインダ１１で観察する被写体のファインダ像光の一部をハーフミラー１３で反射し、かつこの反射光をＣＣＤ撮像素子１４で光電変換して撮像信号として出力するように構成されている。
【０００９】
なお、前記撮影レンズ１のズーム機構３と、前記光学ファインダ１１のズーム機構１２について、図２を参照して簡単に説明すると、撮影レンズ１に設けられたズームリング１０１をモータ１００の駆動歯車１０２によって回転することで、内部に設けられた図外のヘリコイド機構によってレンズ１０３が撮影レンズ１の光軸方向に移動され、撮影レンズ１の焦点距離が変化される。また、前記ズームリング１０１に噛合される歯車列１０４には、前記光学ファインダ１１の光軸方向に沿って設けられたボールねじ１０５と一体の従動歯車１０６が噛合されている。そして、前記ボールねじ１０５がズームリング１０１に追従して軸転動作されると、前記ボールねじ１０５に螺合されているボス１０７に一体のレンズ１０８が光学ファインダ１１の光軸方向に移動され、その焦点距離が撮影レンズ１に追従して変化されるように構成されている。また、前記ズーム機構３には図２には示されないが、前記ズームリング１０１の回転量を検出するためのエンコーダや、前記レンズ１０３の光軸方向の移動位置を検出するポテンショメータ等で構成されて前記ズーム機構３により駆動制御される撮影レンズ１の焦点距離を検出するための前記焦点距離検出部２（図１参照）が設けられており、この焦点距離検出部２で検出した焦点距離を前記マイコン１０に入力するように構成されている。
【００１０】
前記ＣＣＤ素子１４は前記マイコン１０により制御されるＣＣＤ駆動部１５により駆動され、前記ＣＣＤ素子１４で撮像された撮像信号は信号処理部１６に入力される。前記信号処理部１６は、前記ＣＣＤ素子１４から出力される撮像信号に含まれるノイズをＣＤＳ回路１７において相関二重サンプリングにより抑圧し、Ａ／Ｄ変換回路１８で撮像信号をデジタル信号に変換して撮像データを得る。また、得られた撮像データを第１フィールドメモリ１９に一旦記憶し、その後第１フィールドメモリ１９から順次撮像データが読み出されて信号処理回路２０においてシェーディング補正、ガンマ補正、圧縮等の種々の処理を行なう。この信号処理が行われた撮像データは、第２フィールドメモリ２１に記憶され、その後順次読み出されてＤ／Ａ変換回路２２でアナログ信号に変換され、映像信号として出力される。また、前記信号処理された撮像データはレリーズ操作に伴ってフラッシュメモリコントローラ２４によってフラッシュメモリ２３に記憶される。ここで、前記信号処理回路２０には、電子ズーム回路２５が内蔵されており、後述するように前記第１フィールドメモリ１９に記憶されたデジタル信号を電子ズーム処理して第２フィールドメモリ２１に記録することが可能とされている。また、前記信号処理部１６から出力される映像信号は、ＬＣＤ（液晶）駆動回路２６に送出され、ＬＣＤモニタ２７によりモニタ映像として表示される。
【００１１】
また、本実施形態のカメラでは、測距部３０、測光部３１、ストロボ発光部３２が設けられており、前記マイコン１０の制御により測距動作、測光動作、及び補助光の照射を行い得る。前記マイコン１０には、電源回路３３、撮影枚数やその他の撮影情報を表示するためのＬＣＤ表示部３４、前記ＬＣＤモニタ２７のバックライト３５を駆動するバックライト駆動回路３６が接続され、それぞれ前記マイコン１０により制御される。さらに、前記マイコン１０には、電源スイッチ４１、レリーズボタン４２の操作によって動作されるレリーズ半押しスイッチ４３及びレリーズ全押しスイッチ４４、モード選択スイッチ４５、ズームボタン４６の操作によって動作されるズームアップスイッチ４７及びズームダウンスイッチ４８、撮像データ消去スイッチ４９等の各種スイッチが接続され、これらスイッチのオン，オフ動作によってマイコン１０が所要の制御を行うように構成される。
【００１２】
以上の構成のカメラの撮影動作を図３のフローチャートを参照して説明する。先ず、パワーオンされると（Ｓ１１）、マイコン１０はモード選択スイッチ４５の状態を判定し（Ｓ１２）、選択された撮影モードに設定する。ここでは、光学ファインダ１１で被写体を目視にて確認しながら感光フィルムに撮影を行う通常撮影モードＭ１と、ＬＣＤモニタ２７で被写体を確認しながら感光フィルムに撮影を行う電子モニタ撮影モードＭ２と、ＬＣＤモニタ２７で被写体を確認しながらフラッシュメモリ２３に撮影データを記録するデジタル撮影モードＭ３と、ＬＣＤモニタ２７で被写体を確認しながら前記と同様に感光フィルムへの撮影とデジタル撮影を行うデュアル撮影モードＭ４とが選択可能とされている。
【００１３】
前記通常撮影モードＭ１では、マイコン１０はＣＣＤ駆動回路１５によりＣＣＤ素子１４での撮像動作を停止する。このため、撮影者は光学ファインダ１１を覗いて被写体を確認し、レリーズボタン４２を操作して感光フィルム８への撮影を行う。このとき、レリーズボタン４２でのレリーズ半押しスイッチ４３のオンにより測距回路３０での測距と測光回路３１での測光が行われ、レリーズ全押しスイッチ４４のオンにより絞り駆動回路７、シャッタ駆動回路６が動作して撮影を実行する。また、撮影に際してズームボタン４６を操作し、ズームアップスイッチ４７又はズームダウンスイッチ４８がオン動作されることで、撮影レンズ１のズーム機構３が動作して撮影レンズ１をズーム動作し、焦点距離検出部２で撮影レンズ１の焦点距離を検出しながらフィードバック制御により撮影レンズ１の焦点距離を変化させ、かつこれと連動して光学ファインダ１１をズーム動作する。これにより、撮影者は撮影レンズ１のズーム動作に伴う撮影画角を光学ファインダ１１で確認しながら感光フィルム８への撮影が可能となる（Ｓ１３）。
【００１４】
また、デジタル撮影モードＭ３では、マイコン１０はＣＣＤ駆動回路１５によりＣＣＤ素子１４を駆動し、光学ファインダ１１の光学系を通してＣＣＤ素子１４で撮影した撮像信号を信号処理部１６において処理する。すなわち、撮像信号をＣＤＳ回路１７においてノイズを抑圧し、かつＡ／Ｄ変換器１８でデジタル信号に変換して撮像データを得る。さらに、第１のフィールドメモリ１９、信号処理回路２０、第２のフィールドメモリ２１を経て所定の処理を実行した上でＤ／Ａ変換器２２から映像信号として出力し、ＬＣＤモニタ２７に撮像した映像を表示する。また、このときレリーズボタン４２を操作することにより、マイコン１０は撮像画面の撮像データを信号処理回路２０において圧縮し、フラッシュメモリ２３に記憶する（Ｓ１４）。この記憶した撮像データは、随時ＬＣＤモニタ２７において映像として表示することが可能である。なお、このデジタル撮影モードＭ３においては、ズームボタン４６の操作により光学ファインダ１１をズーム動作して撮影を行うことが可能であるが、レリーズボタン４２が操作される前の状態では信号処理回路２０内の電子ズーム回路２５において電子ズーム処理が行われ、この電子ズーム処理により得られる映像が前記ＬＣＤモニタ２７に表示される。この電子ズーム処理については、次の電子モニタ撮影モードＭ２において説明する。
【００１５】
前記電子モニタ撮影モードＭ２では、ＣＣＤ素子１４で撮像した撮像信号を信号処理回路２０の電子ズーム回路２５において電子ズーム処理し、映像信号としてＬＣＤモニタ２７に表示する。電子ズーム回路２５は、例えば、特開平５−８３６１２号公報にもその一例が記載されているように、撮影レンズ１の焦点距離に対応するズーム倍率での表示を行うべく、撮像データのうち拡大表示する部分のみをフィールドメモリから読み出し、かつ当該ズーム倍率に対応する本数の走査線補間を行い、この補間により所定の走査線数とされた撮像データに基づいて映像信号を生成し、ＬＣＤモニタ２７に表示することで、画面を水平・垂直方向に拡大したモニタ映像を得ることができる。例えば、図４（ａ）の第１フィールドメモリ１９内の撮像データの一部を選択し、これを図４（ｂ）のように拡大してＬＣＤモニタ２７に表示することで、電子ズーム処理が実現される。そして、この実施形態のカメラの場合には、撮影に際して撮影者がズームボタン４６を操作したときには直ちには撮影レンズ１のズーム動作と、これに連動する光学ファインダ１１のズーム動作は行わず、マイコン１０はズームボタン４６が操作されたときのズームアップスイッチ４７、ズームダウンスイッチ４８の状態からズームボタン４６で設定された焦点距離（以下、設定焦点距離と称する）を検出し、かつ保持する。そして、マイコン１０は、この保持した設定焦点距離に基づいて信号処理回路２０に内蔵されている電子ズーム回路２５を制御し、前記したようにＬＣＤモニタ２７に設定焦点距離に対応したズーム倍率でのモニタ映像を表示する。そして、後述するような特定の条件の場合、あるいは撮影者が設定焦点距離に対応するＬＣＤモニタ映像を確認しながらレリーズボタン４２を操作したときに、マイコン１０は速やかに撮影レンズ１を設定焦点距離にまでズーム動作する。そして、このズーム動作の完了と同時にシャッタ駆動回路６により感光フィルム８への撮影が実行される（Ｓ１３）。
【００１６】
この電子モニタ撮影モードＭ２の動作を、図５のフローチャートを参照して詳細に説明する。すなわち、図３のフローチャートで説明したように、モード選択スイッチ４５によって電子モニタ撮影モードＭ２であると判定されると、マイコン１０はＬＣＤモニタ２７にモニタ像の表示を開始し（Ｓ１０１）、初期値ｍ＝０を設定する（Ｓ１０２）。そして、ズームボタン４６の状態から設定焦点距離を検出し（Ｓ１０３）、かつ検出した設定焦点距離を例えばレジスタ等に保持する。次いで、ズーム機構３の焦点検出部から検出される撮影レンズ１の現在の焦点距離（以下、現在焦点距離と称する）と、保持している設定焦点距離とを比較し（Ｓ１０４）、設定焦点距離が現在焦点距離よりも短い場合、すなわち撮影レンズ１の焦点距離が現在焦点距離よりも広角側に設定されているという特定の条件の場合には、ズーム駆動回路４により撮影レンズ１の焦点距離を設定焦点距離に設定する（Ｓ１０５）。これにより、光学ファインダ１１の焦点距離も設定焦点距離に対応した焦点距離に設定される。なお、ステップＳ１０４において、設定焦点距離が現在焦点距離よりも大きい場合には、このズーム駆動は行わず、電子ズーム回路２５を駆動してＣＣＤ素子１４の撮像信号を電子ズーム処理し、この電子ズーム処理によって前記被写体映像を拡大し、みかけ上焦点距離が増大された望遠状態でＬＣＤモニタ２７に設定焦点距離に対応したモニタ画像を表示する（Ｓ１０６）。
【００１７】
そして、マイコン１０はレリーズ半押しスイッチ４３の状態を監視しており（Ｓ１０７）、レリーズボタン４２の操作によってレリーズ半押しを検出すると、測距回路３０及び測光回路３１を駆動して測距データｄｍと測光データｆｍを得る（Ｓ１０８）。次いで、レリーズ全押スイッチ４４によりレリーズ全押しを判定し（Ｓ１０９）、レリーズ全押しを検出したときには、ズーム駆動回路４により撮影レンズ１の焦点距離を設定焦点距離に設定し（Ｓ１１０）、かつ設定された焦点距離により、後述するように撮影を実行する（Ｓ１２０）。一方、前記ステップＳ１０９においてレリーズ全押しが検出されない場合には、前記測距値ｄｍに基づいてＤ２＝ｄｍとし（Ｓ１１１）、かつｍ＝０であるか否かを判定する（Ｓ１１２）。ｍ＝０のときには、測距値ｄｍをＤ１＝ｄｍとする（Ｓ１１３）。また、ｍが０でないときには、Ｄ１の測距値はｍ＝０のときの値ｄｍを保持する。しかる上で、Ｄ２とＤ１の距離差が５０ｃｍよりも小さいか大きいかを判定し（Ｓ１１４）、この距離差が５０ｃｍよりも大きい場合には撮影者が撮影対象を異なるものに向けたと判定し、ｍ＝０に設定し（Ｓ１１５）、その上で、ステップＳ１０７に戻り、所定の極短い時間間隔で同様のフローを繰り返す。
【００１８】
一方、ステップＳ１１４において、Ｄ２とＤ１の距離差が５０ｃｍよりも小さいときには、撮影者が同じ被写体を撮影対象としているものと判定し、前記フローの繰り返し数、すなわち、ｍが予め設定した回数値Ｍ（ここではＭ＝５）に等しいか否かを判定する（Ｓ１１６）。ｍがＭでない場合には、ｍに１を加え（Ｓ１１７）、ステップＳ１０７に戻る。そして、このフローはｍ＝Ｍ（＝５）になるまで５回繰り返し、ｍ＝５となって５回の繰り返しでも変化がないときには、撮影を行う蓋然性が高いものとして、ズーム駆動回路４を制御し、ズーム機構３により撮影レンズ１を設定焦点距離になるようにズーム動作する（Ｓ１１８）。
【００１９】
しかる上で、レリーズボタン４２の全押しを検出すると（Ｓ１１９）、絞り駆動回路７では測光値ｆｍに基づいた露出制御が行われ、かつシャッタ駆動回路６によるシャッタ動作により、撮影レンズ１により感光フィルム８への撮影が実行される（Ｓ１２０）。また、このとき第２フィールドメモリ２１に撮像データが記録され、かつＤ／Ａ変換回路２２でアナログ信号に変換されて映像信号として出力され、ＬＣＤモニタ２７においてモニタ映像がフリーズ（決定）される（Ｓ１２１）。
【００２０】
なお、デュアル撮影モードＭ４では、前記電子モニタ撮影モードＭ２とデジタル撮影モードＭ３を同時に行うことにより、感光フィルムへの撮影１３と、撮像データメモリへの記録Ｓ１４とが行われる。なお、各撮影及び記録の動作は、それぞれのモードＭ２，Ｍ３と同じであるので、ここでは説明は省略する。
【００２１】
このように、本実施形態のカメラでは、電子モニタ撮影モードＭ２とデジタル撮影モードＭ３においては、特定の条件の場合、すなわち現在焦点距離よりも短焦点側の広角での撮影を行う場合を除けば、ＬＣＤモニタ２７に表示される被写体像は、電子ズーム回路２５における電子ズームによってズーミングされた映像が表示されるため、撮影者はズームボタン４６を操作して設定した設定焦点距離に対応するズーム倍率で被写体をモニタすることが可能となる。そして、このＬＣＤモニタ２７を観察しながらレリーズボタン４２を操作すると、マイコン１０の制御によって撮影レンズ１及び光学ファインダ１１はズーム機構３，１２によって直ちに設定焦点距離にまで追従駆動されるため、設定焦点距離での撮影、すなわち電子モニタ撮影モードＭ２の場合には感光フィルム８への感光動作が、またデジタル撮影モードＭ３の場合にはＣＣＤ素子１４での撮像が実行されることになる。このため、撮影の直前まで、撮影レンズ１及び光学ファインダ１１の各ズーム機構３，１２は動作されることがなく、その間におけるズーム機構３，１２での消費電力が削減でき、電池の消耗を抑制することが可能になる。
【００２２】
また、本実施形態では、処理のステップＳ１０７からＳ１１３において、レリーズボタン４２が半押し状態にされた時点からの計時を行いながら測距回数値ｍを計数し、測距回数値ｍが所定回数Ｍに達したときには撮影者が当該被写体を撮影する蓋然性が高いものと見なして撮影レンズ１及び光学ファインダ１１のズーム機構３，１２を駆動して各焦点距離をズームボタン４６による設定焦点距離に設定するため、レリーズボタン４２が全押し状態とされたときには、撮影レンズ１が設定焦点距離に設定されるまでの時間を短縮し、応答性の高いレリーズ動作が実現できる。なお、この応答性はデジタル撮影モードにおいても同様である。
【００２３】
ここで、前記実施形態では、撮影レンズと光学ファインダの各ズーム機構が機構的に連動して動作される場合について説明したが、撮影レンズと光学ファインダのそれぞれに独立したズーム機構が設けられ、それぞれの焦点距離が個別に設定できる構成のカメラにおいても同様に適用できる。この場合には、撮影レンズのズーム動作を停止している間、光学ファインダのみをズーム動作させる構成としてもよく、ＣＣＤ素子において実際にズーム撮影された被写体を撮像し、これをＬＣＤモニタに表示することが可能となるため、電子ズーム回路は省略することが可能である。ただし、光学ファインダでのズーム動作を前記実施形態のように撮影時以外に停止させることができないため、消費電力を低減する点では前記実施形態の方が有利である。また、本発明は撮影レンズで結像される被写体像を光学ファインダに導いてファインダ像とし、かつ撮影レンズの光学系内にＣＣＤ素子を内装してＬＣＤモニタ式の一眼レフカメラに対しても適用可能である。
【００２４】
【発明の効果】
以上説明したように本発明は、撮影を行う前の時点では焦点距離設定手段により設定された焦点距離に対応するズーム倍率で被写体像がモニタに表示されるため、撮影レンズのズーム機構を駆動することなく被写体の撮影画角を確認することができ、また撮影時には、焦点距離設定手段によって設定された焦点距離で撮影レンズによる撮影が実現できる。このため、撮影の直前まで、撮影レンズ又は光学ファインダのズーム機構を動作する必要がなく、その間におけるズーム機構での消費電力、特に消費量の大きな撮影レンズのズーム機構での消費電力が削減でき、カメラに搭載している電池の消耗を抑制し、カメラの撮影寿命を長寿命化できる効果が得られる。さらに、撮影時に複数回の測距を行い、測距データが所定の範囲内にあるときには撮影レンズを直ちに焦点距離設定手段によって設定されている焦点距離に設定することにより、撮影レンズが所定の焦点距離に設定されるタイミングを早め、応答性の高いレリーズ動作が実現できる。
【図面の簡単な説明】
【図１】本発明のカメラの全体構成を示すブロック図である。
【図２】図１のカメラの撮影レンズと光学ファインダの構成を示す模式斜視図である。
【図３】撮影モードと各モードでの動作の概略を示すフローチャートである。
【図４】電子ズームの動作を説明するための図である。
【図５】電子モニタ撮影モードの動作を説明するためのフローチャートである。
【符号の説明】
１  撮影レンズ
２  焦点距離検出部
３  ズーム機構
４  ズーム駆動回路
５  フォーカス回路
６  シャッター回路
７  絞り駆動回路
８  感光フィルム
１０  マイコン
１１  光学ファインダ
１４  ＣＣＤ素子
１６  信号処理部
２０  信号処理回路
２５  電子ズーム回路
２７  ＬＣＤモニタ
４２  レリーズボタン
４６  ズームボタン
【図１】
0003857836.tif 000002
【図２】
0003857836.tif 000003
【図３】
0003857836.tif 000004
【図４】
0003857836.tif 000005
【図５】
0003857836.tif 000006